(57)【要約】【課題】地上からの操作のみによって建物外壁の上端部に対して固定され、更に、地上からの操作のみによって梯子に対しても固定されることにより、梯子が倒れてしまうことを容易に且つ確実に防止することのできる梯子固定装置を提供すること。【解決手段】この梯子固定装置１は、梯子５００の長手方向に沿って上下に移動することが可能な状態で、梯子５００に対して取り付けられる枠体１００と、枠体１００に取り付けられ、枠体１００と共に移動する係止部材２００ａ、２００ｂとを備えている。  梯子固定装置１は、地上から紐４００を引くことにより枠体１００を下方に移動させ、係止部材２００ａ、２００ｂを外壁６０１の上端部に対して係止させることができる。また、地上から紐４００を更に引くことにより枠体１００を変形させ、枠体１００を梯子５００に対して固定した状態とすることができる。【選択図】図１
2014034795.tif 000002
【特許請求の範囲】
【請求項１】
建物外壁に立て掛けられた状態の梯子を固定する梯子固定装置であって、
梯子の長手方向に沿って上下に移動することが可能な状態で、梯子に対して取り付けられる枠体と、
前記枠体に取り付けられ、前記枠体と共に移動する係止部材と、
地上からの操作により前記枠体を下方に移動させ、前記係止部材を建物外壁の上端部に対して係止させるための第一操作手段と、
地上からの操作により前記枠体を梯子に対して固定した状態とするための第二操作手段と、を備えたことを特徴とする梯子固定装置。
【請求項２】
前記枠体は、
梯子に対して建物外壁側に配置される奥側支持部材と、
梯子に対して建物外壁側とは反対側に配置される手前側支持部材と、を有しており、
前記第二操作手段は、
地上からの操作により前記手前側支持部材と前記奥側支持部材との距離が小さくなるように前記枠体を変形させ、梯子を前記奥側支持部材に対して押しつけた状態とすることで、前記枠体を梯子に対して固定した状態とするものであることを特徴とする、請求項１に記載の梯子固定装置。
【請求項３】
前記第一操作手段は、
梯子のうち前記枠体よりも上方に位置する部分と、前記手前側支持部材とを結び付けた紐であって、前記紐の一端を地上から引くことにより、前記手前側支持部材が梯子に結び付けられた状態を解くことが可能となっていることを特徴とする、請求項２に記載の梯子固定装置。
【請求項４】
前記枠体は、前記奥側支持部材と前記手前側支持部材とを連結する連結部材を更に有し、
前記連結部材は、前記奥側支持部材及び前記手前側支持部材のいずれに対しても回動可能に接続されており、
前記紐の一端を地上から引くことによって、前記手前側支持部材が梯子に結び付けられた状態を解いた後においては、
前記紐の他端は前記手前側支持部材に対して固定されており、前記紐が前記第二操作手段として機能することを特徴とする、請求項３に記載の梯子固定装置。
【請求項５】
前記係止部材は、前記枠体に対して回動自在に取り付けられていることを特徴とする、請求項１乃至請求項４のいずれか一項に記載の梯子固定装置。
【発明の詳細な説明】
【技術分野】
【０００１】
本発明は、建物外壁に立て掛けられた状態の梯子を固定する梯子固定装置に関する。
【背景技術】
【０００２】
建物外壁に梯子を立て掛けて使用する際においては、梯子が建物外壁から離れる方向に向かって倒れてしまったり、梯子が建物外壁に沿って横滑りして倒れてしまったりする危険が伴う。このような危険を防止するために、建物外壁に立て掛けられた状態の梯子を固定する梯子固定装置として、種々のものが提案されている。
【０００３】
例えば下記特許文献１には、梯子本体の両側支柱に沿って上下方向に摺動するフックを備え、当該フックを、地上からの操作で上下させて建物外壁の上端部に係止させることのできる梯子固定装置が記載されている。このような梯子固定装置を用いれば、梯子に取り付けられたフックが建物外壁の上端部に係止されるため、梯子が倒れてしまう可能性を低減することができる。また、フックの高さを地上からの操作で調整することができるため、高さの異なる様々な建物外壁に対して、梯子に登ることなく（地上からの操作のみで）容易に梯子を固定することが可能である。
【先行技術文献】
【特許文献】
【０００４】
【特許文献１】特開平７−２１７３４８号公報
【発明の概要】
【発明が解決しようとする課題】
【０００５】
しかしながら、上記特許文献１に記載の梯子固定装置においては、フックが建物外壁の上端部に係止された状態においても、フックは依然として梯子本体の両側支柱に沿って摺動可能となっている。すなわち、フック（梯子固定装置）は梯子に対して完全には固定されていない。このため、梯子固定装置と梯子との間で摺動抵抗が小さい場合には、梯子の上部が横滑りすることや、梯子の下部が建物から遠ざかる方向に滑ってしまうこと等を、確実に防止することができない可能性があった。
【０００６】
本発明はこのような課題に鑑みてなされたものであり、その目的は、地上からの操作のみによって建物外壁の上端部に対して固定され、更に、地上からの操作のみによって梯子に対しても固定されることにより、梯子が倒れてしまうことを容易に且つ確実に防止することのできる梯子固定装置を提供することにある。
【課題を解決するための手段】
【０００７】
上記課題を解決するために本発明に係る梯子固定装置は、建物外壁に立て掛けられた状態の梯子を固定する梯子固定装置であって、梯子の長手方向に沿って上下に移動することが可能な状態で、梯子に対して取り付けられる枠体と、前記枠体に取り付けられ、前記枠体と共に移動する係止部材と、地上からの操作により前記枠体を下方に移動させ、前記係止部材を建物外壁の上端部に対して係止させるための第一操作手段と、地上からの操作により前記枠体を梯子に対して固定した状態とするための第二操作手段と、を備えたことを特徴としている。
【０００８】
本発明に係る梯子固定装置は、梯子の長手方向に沿って上下に移動することが可能な状態で梯子に対して取り付けられる枠体を有している。また、当該枠体には係止部材が取り付けられている。更に、地上からの操作（梯子の下部近傍からの操作）によって枠体を下方に移動させ、係止部材を建物外壁の上端部に対して係止させるための第一操作手段を有している。
【０００９】
このような構成により、梯子の使用者は、まず梯子を建物に立て掛けた状態とした後、地上からの操作によって枠体及び係止部材を下方に移動させ、建物外壁の上端部に対して係止部材を係止させることができる。すなわち、地上からの操作のみによって、枠体及び係止部材を建物外壁に対し固定することができる。
【００１０】
本発明に係る梯子固定装置は更に、地上からの操作によって枠体を梯子に対して固定した状態とするための第二操作手段を有している。地上からの操作によって枠体が梯子に対して固定されるため、枠体及び係止部材が梯子に対して移動してしまうことが防止される。
【００１１】
以上のように、本発明に係る梯子固定装置では、地上からの操作のみによって建物外壁の上端部に対して固定され、更に、地上からの操作のみによって梯子に対しても固定される。その結果、梯子が建物外壁に対して確実に固定されるため、梯子が倒れてしまうことを容易に且つ確実に防止することができる。
【００１２】
また本発明に係る梯子固定装置では、前記枠体は、梯子に対して建物外壁側に配置される奥側支持部材と、梯子に対して建物外壁側とは反対側に配置される手前側支持部材と、を有しており、前記第二操作手段は、地上からの操作により前記手前側支持部材と前記奥側支持部材との距離が小さくなるように前記枠体を変形させ、梯子を前記奥側支持部材に対して押しつけた状態とすることで、前記枠体を梯子に対して固定した状態とするものであることも好ましい。
【００１３】
この好ましい態様では、枠体は、梯子に対して建物外壁側に配置される奥側支持部材と、梯子に対して建物外壁側とは反対側に配置される手前側支持部材と、を有している。すなわち、梯子を登る作業者から見た場合、奥側支持部材は枠体のうち梯子の奥側に位置する部材であり、手前側支持部材は枠体のうち梯子の手前側に位置する部材である。換言すれば、枠体は、奥側支持部材と手前側支持部材との間に梯子を挟んだ状態で、梯子の長手方向に沿って上下に移動することが可能となっている。
【００１４】
更にこの好ましい態様では、第二操作手段は、地上からの操作により手前側支持部材と前記奥側支持部材との距離が小さくなるように枠体を変形させる。枠体がこのように変形する結果、梯子が奥側支持部材に対して押しつけられ、枠体が梯子に対して固定された状態なる。このような構成とすることにより、枠体を梯子に対して固定するための構造を比較的簡単なものとすることができる。
【００１５】
また本発明に係る梯子固定装置では、前記第一操作手段は、梯子のうち前記枠体よりも上方に位置する部分と、前記手前側支持部材とを結び付けた紐であって、前記紐の一端を地上から引くことにより、前記手前側支持部材が梯子に結び付けられた状態を解くことが可能となっていることも好ましい。
【００１６】
この好ましい態様では、第一操作手段は、梯子のうち枠体よりも上方に位置する部分と、枠体の手前側支持部材とを結び付けた紐である。当該紐の一端を地上から引くことにより、手前側支持部材が梯子に結び付けられた状態を解くことが可能となっている。手前側支持部材が梯子に結び付けられた状態が解かれると、枠体は重力によって下方に移動する。
【００１７】
以上のように、地上からの操作によって枠体を下方に移動させる第一操作手段を、複雑な機構を要することなく非常に簡単に構成することができる。
【００１８】
また本発明に係る梯子固定装置では、前記枠体は、前記奥側支持部材と前記手前側支持部材とを連結する連結部材を更に有し、前記連結部材は、前記奥側支持部材及び前記手前側支持部材のいずれに対しても回動可能に接続されており、前記紐の一端を地上から引くことによって、前記手前側支持部材が梯子に結び付けられた状態を解いた後においては、前記紐の他端は前記手前側支持部材に対して固定されており、前記紐が前記第二操作手段として機能することも好ましい。
【００１９】
この好ましい態様では、枠体は、奥側支持部材と手前側支持部材とを連結する連結部材を更に有しており、当該連結部材は、奥側支持部材及び手前側支持部材のいずれに対しても回動可能に接続されている。また、第一操作手段を構成する紐は、その一端が地上近傍に位置しており、他端が手前側支持部材に対して固定されている。
【００２０】
紐の一端を地上から引くことによって手前側支持部材が梯子に結び付けられた状態を解いた後において（すなわち、第一操作手段を操作して枠体を下方に移動させた後において）、紐をさらに下方に引くと、手前側支持部材は紐に引かれて下方に移動する。その際、奥側支持部材と手前側支持部材とを連結する連結部材が回動することにより、手前側支持部材は下方に移動しながら奥側支持部材に接近して行く。
【００２１】
換言すれば、紐が下方に引かれることによって、枠体は手前側支持部材と奥側支持部材との距離が小さくなるように変形する。このように、第一操作手段を構成する紐が、第二操作手段としても機能する。第一操作手段と第二操作手段とが同じ一本の紐によって構成されるため、梯子固定装置の構成をより簡単なものとすることができる。
【００２２】
また本発明に係る梯子固定装置では、前記係止部材は、前記枠体に対して回動自在に取り付けられていることも好ましい。
【００２３】
この好ましい態様では、係止部材が、枠体に対して回動自在に取り付けられている。このような構成により、係止部材が枠体に対してなす角度が可変となる。換言すれば、係止部材が梯子の長手方向に対してなす角度が可変となる。
【００２４】
その結果、建物外壁に対する梯子の角度の許容範囲が広くなる。すなわち、建物に立てかけた際の梯子の角度が作業者によって（又は作業環境の制約等によって）ばらついたとしても、梯子を建物外壁に対して固定する機能が損なわれることがなく、常に安定して梯子を固定することができる。
【発明の効果】
【００２５】
本発明によれば、地上からの操作のみによって建物外壁の上端部に対して固定され、更に、地上からの操作のみによって梯子に対しても固定されることにより、梯子が倒れてしまうことを容易に且つ確実に防止することのできる梯子固定装置を提供することができる。
【図面の簡単な説明】
【００２６】
【図１】本発明の実施形態に係る梯子固定装置の一部を示す斜視図である。
【図２】図１に示した梯子固定装置を使用し、建物外壁に立て掛けられた梯子を固定した状態を模式的に示す図である。
【図３】図１に示した梯子固定装置の使用方法を説明するための図である。
【図４】図１に示した梯子固定装置の使用方法を説明するための図である。
【図５】図１に示した梯子固定装置の使用方法を説明するための図である。
【発明を実施するための形態】
【００２７】
以下、添付図面を参照しながら本発明の実施の形態について説明する。説明の理解を容易にするため、各図面において同一の構成要素に対しては可能な限り同一の符号を付して、重複する説明は省略する。
【００２８】
尚、以下の説明においては、建物外壁に立てかけられた梯子を登っている作業者から見た場合における奥側を「内側」又は「建物側」と称することがあり、その反対側（手前側）を「外側」又は「作業者側」と称することがある。また、特に断らない限り、以下の説明において「左側」とは、上記のような状態の作業者から見た場合における左側を示し、「右側」とは、上記のような状態の作業者から見た場合における右側を示す。
【００２９】
まず、本発明の実施形態に係る梯子固定装置１の構成について、図１を参照しながら説明する。図１は梯子固定装置１の一部を示す斜視図である。図１に示したように梯子固定装置１は、枠体１００と、枠体１００に対して取り付けられた一対の係止部材２００ａ、２００ｂとを備えている。
【００３０】
枠体１００は、水平且つ互いに平行に配置された４本のシャフト（内側下段シャフト１０１、外側下段シャフト１０２、内側上段シャフト１０３、外側上段シャフト１０４）と、これらシャフトに対して垂直且つ互いに平行に配置された４本の支持部材（内側支持部材１１１、１１２、外側支持部材１１３、１１４）を有している。
【００３１】
内側下段シャフト１０１、外側下段シャフト１０２、内側上段シャフト１０３、外側上段シャフト１０４は、いずれも断面が円形の金属からなるシャフトである。このうち内側下段シャフト１０１は、枠体１００の下部であって、梯子固定装置１を使用している状態において建物側となる位置に配置されている。外側下段シャフト１０２は、枠体１００の下部であって、梯子固定装置１を使用している状態において作業者側となる位置に配置されている。内側上段シャフト１０３は、枠体１００の上部であって、梯子固定装置１を使用している状態において建物側となる位置に配置されている。外側上段シャフト１０４は、枠体１００の上部であって、梯子固定装置１を使用している状態において作業者側となる位置に配置されている。
【００３２】
内側支持部材１１１、１１２、及び外側支持部材１１３、１１４は、いずれも断面が矩形の金属により形成された棒状体である。このうち内側支持部材１１１は、梯子固定装置１を使用している状態において建物側且つ左側となる位置に配置されている。内側支持部材１１２は、梯子固定装置１を使用している状態において建物側且つ右側となる位置に配置されている。外側支持部材１１３は、梯子固定装置１を使用している状態において作業者側且つ左側となる位置に配置されている。外側支持部材１１４は、梯子固定装置１を使用している状態において作業者側且つ右側となる位置に配置されている。
【００３３】
内側支持部材１１１、１１２のうち梯子固定装置１を使用している状態において手前側となる面には、板状のゴムからなる滑り止め１１５、１１６がそれぞれ接着固定されている。
【００３４】
内側下段シャフト１０１は、その一端が内側支持部材１１１の下端近傍を貫通しており、他端が内側支持部材１１２の下端近傍を貫通している。内側下段シャフト１０１は、内側支持部材１１１及び内側支持部材１１２に対して回転自在となっている。内側下段シャフト１０１の両端は、内側支持部材１１１の左側側面及び内側支持部材１１２の右側側面からそれぞれ突出している。
【００３５】
外側下段シャフト１０２は、その一端が外側支持部材１１３の下端近傍を貫通しており、他端が外側支持部材１１４の下端近傍を貫通している。外側下段シャフト１０２は、外側支持部材１１３及び外側支持部材１１４に対して回転自在となっている。外側下段シャフト１０２の両端は、外側支持部材１１３の左側側面及び外側支持部材１１４の右側側面からそれぞれ突出している。
【００３６】
内側上段シャフト１０３は、その一端が内側支持部材１１１の上端近傍を貫通しており、他端が内側支持部材１１２の上端近傍を貫通している。内側上段シャフト１０３は、内側支持部材１１１及び内側支持部材１１２に対して回転自在となっている。内側上段シャフト１０３の両端は、内側支持部材１１１の左側側面及び内側支持部材１１２の右側側面からそれぞれ突出している。
【００３７】
外側上段シャフト１０４は、その一端が外側支持部材１１３の上端近傍を貫通しており、他端が外側支持部材１１４の上端近傍を貫通している。外側上段シャフト１０４は、外側支持部材１１３及び外側支持部材１１４に対して回転自在となっている。外側上段シャフト１０４の両端は、外側支持部材１１３の左側側面及び外側支持部材１１４の右側側面からそれぞれ突出している。
【００３８】
枠体１００は更に、内側下段シャフト１０１及び外側下段シャフト１０２に対して垂直且つ互いに平行に配置された下側連結部材１２１、１２２を備えている。また、内側上段シャフト１０３及び外側上段シャフト１０４に対して垂直且つ互いに平行に配置された上側連結部材１２３、１２４を備えている。
【００３９】
下側連結部材１２１は板状の金属により形成されている。下側連結部材１２１は内側支持部材１１１の左側側面に対して当接しており、当該当接部分において内側下段シャフト１０１に貫かれている。また、下側連結部材１２１は外側支持部材１１３の左側側面に対しても当接しており、当該当接部分において外側下段シャフト１０２に貫かれている。このような構成により、下側連結部材１２１は、内側支持部材１１１及び外側支持部材１１３のいずれに対しても回動可能な状態で、内側支持部材１１１と外側支持部材１１３とを連結している。
【００４０】
下側連結部材１２２は板状の金属により形成されている。下側連結部材１２２は内側支持部材１１２の右側側面に対して当接しており、当該当接部分において内側下段シャフト１０１に貫かれている。また、下側連結部材１２２は外側支持部材１１４の右側側面に対しても当接しており、当該当接部分において外側下段シャフト１０２に貫かれている。このような構成により、下側連結部材１２２は、内側支持部材１１２及び外側支持部材１１４のいずれに対しても回動可能な状態で、内側支持部材１１２と外側支持部材１１４とを連結している。
【００４１】
上側連結部材１２３は板状の金属により形成されている。上側連結部材１２３は内側支持部材１１１の左側側面に対して当接しており、当該当接部分において内側上段シャフト１０３に貫かれている。また、上側連結部材１２３は外側支持部材１１３の左側側面に対しても当接しており、当該当接部分において外側上段シャフト１０４に貫かれている。このような構成により、上側連結部材１２３は、内側支持部材１１１及び外側支持部材１１３のいずれに対しても回動可能な状態で、内側支持部材１１１と外側支持部材１１３とを連結している。
【００４２】
上側連結部材１２４は板状の金属により形成されている。上側連結部材１２４は内側支持部材１１２の右側側面に対して当接しており、当該当接部分において内側上段シャフト１０３に貫かれている。また、上側連結部材１２４は外側支持部材１１４の右側側面に対しても当接しており、当該当接部分において外側上段シャフト１０４に貫かれている。このような構成により、上側連結部材１２４は、内側支持部材１１２及び外側支持部材１１４のいずれに対しても回動可能な状態で、内側支持部材１１２と外側支持部材１１４とを連結している。
【００４３】
図１に示したように、枠体１００は立体格子状に構成されている。上記のように、下側連結部材１２１、１２２及び上側連結部材１２３、１２４が、内側支持部材１１１等に対して回動可能となっているため、枠体１００は側面視において菱形となるように変形することができる。例えば、内側上段シャフト１０３を固定した状態で外側下段シャフト１０２に対して下向きの力を加えると、外側下段シャフト１０２、外側支持部材１１３、１１４、及び外側上段シャフト１０４が下方に移動する。その際、下側連結部材１２１、１２２は、いずれも内側下段シャフト１０１に貫かれている部分を中心として回動する。また、上側連結部材１２３、１２４は、いずれも内側上段シャフト１０３に貫かれている部分を中心として回動する。その結果、枠体１００は側面視において菱形となるように変形する。
【００４４】
尚、以下の説明においては、外側下段シャフト１０２、外側支持部材１１３、１１４、及び外側上段シャフト１０４をまとめて「手前側支持部材１３０」とも称する。また、内側下段シャフト１０１、内側支持部材１１１、１１２、及び内側上段シャフト１０３をまとめて「奥側支持部材１４０」とも称する。上記のような枠体１００の変形は、手前側支持部材１３０と奥側支持部材１４０との距離が小さくなるような変形ともいうことができる。
【００４５】
係止部材２００ａ、２００ｂは、図１に示したように側面視で略Ｌ字形状の金属板により形成されている。係止部材２００ａは枠体１００の左側に配置され、係止部材２００ｂは枠体１００の右側に配置されている。係止部材２００ａの形状は係止部材２００ｂの形状と同一である。
【００４６】
係止部材２００ａは、梯子固定装置１を使用している状態において建物側に向かって延びる部分である水平部２０１ａと、梯子固定装置１を使用している状態において下方に向かって延びる部分である垂下部２０２ａとを有している。図１に示したように、垂下部２０２ａが延びる方向は水平部２０１ａが延びる方向に対して垂直となっている。
【００４７】
水平部２０１ａの上面のうち垂下部２０２ａとの接続部近傍には、上方に向かって延びる一対の突起部２０３ａ、２０４ａが左右方向に並んで形成されており、これら突起部２０３ａ、２０４ａを内側下段シャフト１０１が貫いている。このため、係止部材２００ａは内側下段シャフト１０１に対して（すなわち、枠体１００に対して）回動可能な状態となっている。
【００４８】
尚、係止部材２００ａには図示しないストッパが形成されている。かかるストッパにより、内側支持部材１１１が延びる方向に対して水平部２０１ａが延びる方向のなす角度が９０度を超えないように、係止部材２００ａの回動範囲が制限されている。すなわち、図１に示した状態においては、水平部２０１ａの先端を上方に上げるような回動は許容されているが、水平部２０１ａの先端を下方に下げることはできなくなっている。
【００４９】
水平部２０１ａの下側の面、及び、垂下部２０２ａのうち梯子固定装置１を使用している状態において建物側となる面には、板状のゴムからなる滑り止め２１１ａ、２１２ａがそれぞれ接着固定されている。
【００５０】
係止部材２００ｂについては、その形状等が係止部材２００ａと同一であるため、詳細な説明は省略する。係止部材２００ａの場合と同様に、係止部材２００ｂは内側下段シャフト１０１に対して（すなわち、枠体１００に対して）回動可能な状態となっている。係止部材２００ｂは水平部２０１ｂ、及び垂下部２０２ｂを有しており、板状のゴムからなる滑り止め２１１ｂ、２１２ｂがそれぞれ接着固定されている。
【００５１】
次に、建物外壁に立て掛けられた状態の梯子が梯子固定装置１によってどのように固定されるのかを、図２を参照しながら説明する。図２は、梯子固定装置１を使用し、建物外壁に立て掛けられた梯子を固定した状態を模式的に示す図である。
【００５２】
図２に示したように、梯子５００を建物６００の外壁６０１に立て掛けた状態において、外壁６０１の上端部分と梯子５００との間に梯子固定装置１が配置される。尚、梯子固定装置１は、様々な種類の建物に対して梯子５００を固定することができるものであるが、以下の説明においては特に、陸屋根の外縁部にパラペットが形成された建物６００に対して梯子５００を固定する場合の例を説明する。
【００５３】
梯子固定装置１は、下側連結部材１２１と下側連結部材１２２との間隔、及び、上側連結部材１２３と上側連結部材１２４との間隔が、いずれも梯子５００の幅（左右方向の寸法）よりも僅かに大きくなっている。また、下側連結部材１２１の延びる方向が内側支持部材１１１の延びる方向に対して垂直となっている状態（図１の状態）においては、内側支持部材１１１と外側支持部材１１３との間隔、及び、内側支持部材１１２と外側支持部材１１４との間隔が、いずれも梯子５００の奥行方向の寸法よりも大きくなっている。
【００５４】
図２においては、枠体１００に対して梯子５００が挿通された状態となっている。すなわち、内側下段シャフト１０１、下側連結部材１２２、外側下段シャフト１０２、及び下側連結部材１２１に囲まれている空間と、内側上段シャフト１０３、上側連結部材１２４、外側上段シャフト１０４、及び上側連結部材１２３に囲まれている空間との両方を貫くように、梯子５００が挿通された状態となっている。
【００５５】
図２に示したように、枠体１００は内側下段シャフト１０１よりも外側下段シャフト１０２が下方に位置するように変形しており、側面視で菱形となっている。かかる変形により、手前側支持部材１３０と奥側支持部材１４０との距離が小さくなり、これらによって梯子５００が両側から挟みこまれている。その結果、梯子５００は奥側支持部材１４０の滑り止め１１５、１１６に対して押しつけられた状態となっている。
【００５６】
枠体１００が菱形に変形しておらず、下側連結部材１２１の延びる方向が内側支持部材１１１の延びる方向に対して垂直となっている状態においては、枠体１００は梯子５００の長手方向に沿って上下に移動することが可能である。しかし、図２の状態においては梯子５００が滑り止め１１５、１１６に対して押しつけられているため、枠体１００は梯子５００に対して移動することができない。すなわち、枠体１００が梯子５００に対して固定された状態となっている。
【００５７】
係止部材２００ａの水平部２０１ａは、滑り止め２１１ａを介して外壁６０１の上端面６０２に当接している。また、係止部材２００ａの垂下部２０２ａは、滑り止め２１２ａを介して外壁６０１の垂直面６０３に当接している。同様に、係止部材２００ｂの水平部２０１ｂは、滑り止め２１１ｂを介して外壁６０１の上端面６０２に当接している。また、係止部材２００ｂの垂下部２０２ｂは、滑り止め２１２ｂを介して外壁６０１の垂直面６０３に当接している。
【００５８】
このため、係止部材２００ａ、２００ｂが外壁６０１に対して滑ってしまうことが抑制されている。換言すれば、梯子固定装置１は、係止部材２００ａ及び係止部材２００ｂによって外壁６０１の上端部に係止された状態（固定された状態）となっている。
【００５９】
以上のように、図２に示した状態においては、枠体１００が梯子５００に対して固定されており、係止部材２００ａ、２００ｂが外壁６０１に対して固定されている。このため、建物６００に立てかけられた状態の梯子５００が倒れてしまうことは、梯子固定装置１によって確実に防止されている。
【００６０】
次に、梯子５００を外壁６０１に立てかけて図２の状態とするための具体的な手順について、図３乃至図５を参照しながら説明する。
【００６１】
まず、梯子５００を略水平な状態（倒れた状態）として、地上Ｇにおいて枠体１００に梯子５００を挿通する。このとき、梯子５００における枠体１００の位置は、梯子５００を立てかけた際に梯子５００の上端となる位置の近傍としておく。具体的には、梯子５００の踏桟のうち最上段となる踏桟５０１よりも、（梯子５００を立てかけた状態において）枠体１００の上端部が僅かに下方となるような位置に枠体１００を配置する。
【００６２】
その後、上記踏桟５０１に対して枠体１００を固定し、梯子５００を立てかけた状態においても枠体１００が落下しないようにしておく。具体的には、図３に示したように、枠体１００の外側下段シャフト１０２に対して紐４００の一端部４０１を結び付け、結び目４０２を形成する。また、当該紐４００を踏桟５０１に対して片結びし、結び目４０３を形成する。
【００６３】
梯子５００を立てかけた際に枠体１００が下方に移動する量を少なくするために、紐４００のうち結び目４０２から結び目４０３までの部分は撓みの少ない状態としておく。また、紐４００のうち結び目４０３から他端部４１０（図３においては図示せず）までの部分の長さは、外壁６０１の高さと略同一の長さとなっている。
【００６４】
結び目４０３は、紐４００の他端部４１０を下方に引くことで、容易に解くことができる状態となっている。結び目４０３を解くと紐４００が踏桟５０１から外れるため、枠体１００は梯子５００に沿って移動することが可能となる。
【００６５】
地上Ｇにおける作業によって図３の状態とした後、梯子５００を立てて外壁６０１に立て掛ける。その際、図４に示したように、地上Ｇにおいて作業者Ｍは梯子５００を手で支え、梯子５００を外壁６０１の上端部から僅かに離間させておく。
【００６６】
このとき、枠体１００は紐４００によって踏桟５０１（梯子５００のうち枠体１００よりも上方に位置する部分）から吊り下げられており、図４に示したように、枠体１００は外壁６０１の上端面６０２よりも高い位置に固定された状態となっている。紐４００は、結び目４０３から他端部４１０までの部分が下方に垂れ下った状態となっており、作業者Ｍは紐４００のうち他端部４１０の近傍を手で掴んでいる。
【００６７】
図４の状態から、作業者Ｍは紐４００を下方に引き下げ、結び目４０３を解く。これと同時に、枠体１００（梯子固定装置１）は梯子５００の長手方向に沿って落下し始める。
【００６８】
その直後、水平部２０１ａ、２０１ｂが滑り止め２１１ａ、２１１ｂを介して外壁６０１の上端面６０２に当接することにより、枠体１００が静止した状態となる（図５）。換言すれば、作業者Ｍが地上Ｇから紐４００を操作することによって枠体１００が下方に移動し、係止部材２００ａ、２００ｂが外壁６０１の上端部に対して係止される。すなわち、紐４００は本発明の「第一操作手段」として機能する。
【００６９】
図５の状態においては、係止部材２００ａ、２００ｂはその位置が固定されており、これらは更に下方に移動することができない。このため、内側下段シャフト１０１を介してこれらと接続されている奥側支持部材１４０の位置も固定されている。
【００７０】
図５の状態から作業者Ｍが紐４００を更に下方に引くと、外側下段シャフト１０２が下向きの力を受ける。当該力によって、下側連結部材１２１、１２２は、内側下段シャフト１０１に貫かれている部分を中心として回動する。また、上側連結部材１２３、１２４は、内側上段シャフト１０３に貫かれている部分を中心として回動する。その結果、枠体１００は側面視において菱形となるように変形し、図２に示した状態となる。
【００７１】
既に説明したように、図２に示した状態においては、枠体１００は変形することによって梯子５００に対して固定されている。換言すれば、作業者Ｍが地上Ｇから紐４００を操作することによって枠体１００が側面視で菱形に変形し、梯子５００が奥側支持部材１４０に対して押しつけられた状態となる。すなわち、すなわち、紐４００は本発明の「第二操作手段」としても機能する。
【００７２】
このように、本実施形態に係る梯子固定装置１によれば、作業者Ｍは地上Ｇから紐４００を操作することのみによって、枠体１００及び係止部材２００ａ、２００ｂを外壁６０１に対し固定することができる。更に、作業者Ｍは地上Ｇから紐４００を操作することのみによって、枠体１００を梯子５００に対して固定することもできる。その結果、地上Ｇからの操作のみによって梯子５００を外壁６０１に対して確実に固定することができ、梯子５００が倒れてしまうことを容易に且つ確実に防止することができる。
【００７３】
更に、本実施形態に係る梯子固定装置１においては、係止部材２００ａ、２００ｂが枠体１００に対して回動自在に取り付けられている。このような構成により、梯子５００を外壁６０１に立てかけた状態において、係止部材２００ａ、２００ｂが枠体１００に対してなす角度が可変となる。換言すれば、係止部材２００ａ、２００ｂが梯子５００の長手方向に対してなす角度が可変となる。その結果、外壁６０１に対する梯子５００の角度の許容範囲が広くなる。すなわち、外壁６０１に立てかけた際の梯子５００の角度が作業者によって（又は作業環境の制約等によって）ばらついたとしても、梯子５００を外壁６０１に対して固定する機能が損なわれることがなく、常に安定して梯子５００を固定することが可能となっている。
【００７４】
本実施形態に係る梯子固定装置１においては、係止部材２００ａ、２００ｂは、板状のゴムからなる滑り止め（２１１ａ等）の摩擦力によって外壁６０１の上端部に係止される。しかし、本発明の実施形態としてはこのような係止方法に限定されず、種々の係止方法を採ることができる。例えば、水平部２０１ａ等の建物側の先端部分を垂下させ、フックのような形状としてもよい。
【００７５】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【００７６】
１：梯子固定装置
１００：枠体
１０１：内側下段シャフト
１０２：外側下段シャフト
１０３：内側上段シャフト
１０４：外側上段シャフト
１１１，１１２：内側支持部材
１１３，１１４：外側支持部材
１２１，１２２：下側連結部材
１２３，１２４：上側連結部材
１３０：手前側支持部材
１４０：奥側支持部材
２００ａ，２００ｂ：係止部材
２０１ａ，２０１ｂ：水平部
２０２ａ，２０２ｂ：垂下部
２０３ａ，２０４ａ，２０３ｂ，２０４ｂ：突起部
４００：紐
４０１：一端部
４０２，４０３：結び目
４１０：他端部
５００：梯子
５０１：踏桟
６００：建物
６０１：外壁
６０２：上端面
６０３：垂直面
Ｇ：地上
Ｍ：作業者
【図１】
2014034795.tif 000003
【図２】
2014034795.tif 000004
【図３】
2014034795.tif 000005
【図４】
2014034795.tif 000006
【図５】
2014034795.tif 000007